(57)【要約】      （修正有） 【課題】夜間等外出時に使用する視認性の高い安全上衣であって、特に幼児や児童の使用に好適な安全上衣を提供する。【解決手段】蛍光色のメッシュ地の織布を一枚仕立てで加工してなる袖無し且つ開き無しの上衣本体となる前身頃１１及び後身頃を備え、前記上衣本体の前身頃１１及び後身頃に第１の光反射領域としての、文字及び自然物若しくは人工物を図案化した図柄である光反射体１６等を配して、安全上衣１を構成する。【選択図】図１
0003164929.tif 000002
【実用新案登録請求の範囲】
【請求項１】
メッシュ地の織布を一枚仕立てで加工してなる袖無し且つ開き無しの上衣本体を備え、
前記上衣本体の前身頃及び後身頃に第１の光反射領域が形成された、安全上衣。
【請求項２】
前記上衣本体の袖ぐりの全部又は一部、及び裾ぐりの全部又は一部
の少なくともいずれか一方に設けられた第２の光反射領域が更に形成された、請求項１に記載の安全上衣。
【請求項３】
前記第１の光反射領域及び前記第２の光反射領域の少なくともいずれか一方は、文字及び自然物若しくは人工物を図案化した図柄の少なくともいずれか一方である、単数又は複数の平面形状から構成されるものである、請求項１又は２に記載の安全上衣。
【請求項４】
前記第１の光反射領域及び前記第２の光反射領域の少なくともいずれか一方は、前記上衣本体上に固定された別部材として構成されている、請求項１から３のいずれかに記載の安全上衣。
【請求項５】
前記第１の光反射領域の前記単数又は複数の平面形状を構成する前記別部材は、更に複数のサブ部材から構成されている、請求項４に記載の安全上衣。
【請求項６】
前記第１の光反射領域及び前記第２の光反射領域の少なくともいずれか一方は、前記織布内に編み込まれた糸状素材によって形成されている、請求項１から３のいずれかに記載の安全上衣。
【請求項７】
前記織布の全部又は一部は蛍光色である、請求項１から６のいずれかに記載の安全上衣。
【考案の詳細な説明】
【技術分野】
【０００１】
本考案は、例えば夜間等外出時に使用する、視認性の高い安全上衣に関する。
【背景技術】
【０００２】
従来より、夜間作業において、自動車運転者等からの視認性を高めるために、その表面に反射板を備えたベストが警察官や警備員の間で広く用いられている。そのようなベストの一例として、特許文献１には、白色再帰反射性シート材よりなる白色再帰反射帯と、蛍光性物質で着色した再帰反射性シート材よりなる着色再帰反射帯とを交互に隣接してストライプ状に配置して構成した技術が開示されている。
【先行技術文献】
【特許文献】
【０００３】
【特許文献１】実用新案登録第３０８４５０９号公報
【考案の概要】
【考案が解決しようとする課題】
【０００４】
近年、家庭の生活形態の変化等の理由から、幼児や児童においても外出の時間帯が日没以降になることが珍しくなくなってきている。そのような外出に際しては事故等を未然に防止するために、上記特許文献のベストに例示される、視認性の高い安全器具が必要と考えられる。
【０００５】
しかしながら、上記従来の技術に例示されるようなこれまでの反射板を備えたベストには、以下のような課題があった。例えば、上記特許文献１に記載のベストの着脱は使用者の腰部前側に相当する箇所に位置するホックないしボタンによって当該ベストの左右の身頃を固定するものであるが、体型が小さく指先の力が成人に比して弱い幼児や児童にとっては、その操作は、保護者の介添えがあっても困難であった。さらに、反射帯は実質的にベストの形態の大半を占めるものであるが、その大きさ及び重量は着用者の動作を妨げるものであり、年少者にとってはより大きな負担を強いる要素となるものである。
【０００６】
このように、従来の技術による夜間用の安全器具は、あくまで成人を対象としたものであって、より年少者の使用に好適とは言えない、という課題があった。
【０００７】
本考案は、上記の課題に鑑みてなされたものであり、例えば幼児や児童の使用に好適な安全上衣を提供することを目的とする。
【課題を解決するための手段】
【０００８】
上記の目的を達成するために、本考案の第１の側面は、メッシュ地の織布を一枚仕立てで加工してなる袖無し且つ開き無しの上衣本体を備え、
前記上衣本体の前身頃及び後身頃に第１の光反射領域が形成された、安全上衣であることを特徴とする。
【０００９】
又、本考案の第２の側面は、前記上衣本体の袖ぐりの全部又は一部、及び裾ぐりの全部又は一部
の少なくともいずれか一方に設けられた第２の光反射領域が更に形成された、本考案の第１の側面の安全上衣であることを特徴とする。
【００１０】
又、本考案の第３の側面は、前記第１の光反射領域及び前記第２の光反射領域の少なくともいずれか一方は、文字及び自然物若しくは人工物を図案化した図柄の少なくともいずれか一方である、単数又は複数の平面形状から構成されるものである、本考案の第１又は第２の側面の安全上衣であることを特徴とする。
【００１１】
又、本考案の第４の側面は、前記第１の光反射領域及び前記第２の光反射領域の少なくともいずれか一方は、前記上衣本体上に固定された別部材として構成されている、本考案の第１から第３の側面の安全上衣であることを特徴とする。
【００１２】
又、本考案の第５の側面は、前記第１の光反射領域の前記単数又は複数の平面形状を構成する前記別部材は、更に複数のサブ部材から構成されている、本考案の第４の側面の安全上衣であることを特徴とする。
【００１３】
又、本考案の第６の側面は、前記第１の光反射領域及び前記第２の光反射領域の少なくともいずれか一方は、前記織布内に編み込まれた糸状素材によって形成されている、本考案の第１から第３のいずれかの側面の安全上衣であることを特徴とする。
【００１４】
又、本考案の第７の側面は、前記織布の全部又は一部は蛍光色である、本考案の第１から第６のいずれかの側面の安全上衣であることを特徴とする。
【考案の効果】
【００１５】
本考案によれば、例えば幼児や児童の使用に好適な安全上衣を提供することができる。
【図面の簡単な説明】
【００１６】
【図１】本考案の実施の形態に係る安全上衣の正面図である。
【図２】本考案の実施の形態に係る安全上衣の背面図である。
【図３】本考案の実施の形態に係る安全上衣の使用状態を模式的に示す図である。
【図４】（ａ）本考案の実施の形態に係る安全上衣の光反射体の構成を示す要部断面図である。（ｂ）本考案の実施の形態に係る安全上衣の光反射体の構成を示す要部断面図である。
【図５】本考案の実施の形態に係る安全上衣の光反射体の構成を示す図である。
【図６】本考案の実施の形態に係る安全上衣の使用状態を模式的に示す図である。
【図７】本考案の実施の形態に係る安全上衣の他の構成例を示す図である。
【図８】（ａ）本考案の実施の形態に係る安全上衣の他の構成例を示す図である。（ｂ）本考案の実施の形態に係る安全上衣の他の構成例を示す図である。
【考案を実施するための形態】
【００１７】
以下、本考案の実施の形態を、図面を参照して説明する。
【００１８】
図１は、本考案の実施の形態に係る安全上衣の正面図であり、図２は同安全上衣の背面図、図３は、同安全上衣の構成及びその使用状態を示す図である。
【００１９】
各図に示すように、本実施の形態に係る安全上衣１は、蛍光色の一枚のメッシュ地の織布を所定形状に裁断・加工してなる前身頃１１及び後身頃１７を、それぞれ一対の脇線１ａ及び肩線１ｂで縫い合わせた構成を有する。前身頃１１及び１７はいずれも裏地を有さず、安全上衣１はいわゆる一枚仕立て（単衣仕立て）で縫製されている。
【００２０】
図１に示すように、前身頃１１は、袖ぐり１２、裾ぐり１５及び前襟ぐり１３は織布を折り返した構成を有し、これにより他の部分より厚み及び強度を増している。又、前身頃１１の下側には、再帰性反射材を用いた複数の光反射体１６が設けられている。光反射体１６はそれぞれアルファベット字体の形状を有し、一連の英単語「ＷＡＴＣＨ」として認識されるように配置されている。
【００２１】
ここで図４（ａ）に光反射体１６を含めた前身頃１１の要部断面構成を示す。光反射体１６は、アルファベット文字の外縁部分を構成する縁部反射層１６１上にアルファベット文字の本体部分を構成する芯部反射層１６２が積層された構成を有する。縁部反射層１６１はウレタン樹脂等の発砲樹脂製の基台層１６１ａ及び基台層１６１ａと同一平面形状を有する再帰性反射材からなる再帰性反射層１６１ｂとの貼り合わせより構成され、芯部反射層１６２も縁部反射層１６１と同様の基台層１６２ａ及び再帰性反射層１６２ｂの積層体である。
【００２２】
縁部反射層１６１の表面積は芯部反射層１６２のそれよりも大きいため、芯部反射層１６２を縁部反射層１６１の中央に配置することにより、外観上は芯部反射層１６２の表面１６２ｓの縁を縁部反射層１６１の表面１６１ｓが取り囲むこととなり、図１に示すように、光反射体１６は一定幅を有する輪郭付きの文字として示される。このとき、縁部反射層１６１と芯部反射層１６２とでそれぞれの再帰性反射層１６１ｂ、１６２ｂの色を違えることにより、光反射体１６の視認性、文字としての可読性を向上させることができる。このとき、織布４０と再帰性反射層１６１ｂ、１６２ｂとの色とが補色関係にあるとなおよい。なお、各反射層同士の接合は公知技術である接着材、粘着材等を用いてよい。又、前身頃１１の織布４０と光反射体１６との固定は、接着材や粘着テープ等を用いてもよいし、縫い付けるようにしてもよく、その具体的な方法によって限定されない。又、基台層１６１ａ及び１６１ｂは発泡樹脂の他、無発泡樹脂や布製であってもよいが、織布４０よりも稠密でより硬い素材であることが望ましい。
【００２３】
次に、図２に示すように、後身頃１７も袖ぐり１２、裾ぐり１５及び後襟ぐり１４は織布を折り返している。又、前身頃１７の後襟ぐり１４の直下には光反射体１６と同様、二種の反射層を積層した構成を有する複数の光反射体１８が設けられている。光反射体１８はアルファベット字体の形状を有し、一連の英単語「ＢＩＫＥ」と認識されるように配置されている。
【００２４】
更に、後身頃１７においては、その主面のほぼ中央から裾ぐり１５の部分に渡る位置に光反射体１９を設けている。光反射体１９は、略画をデザインし、図示する例においては、光反射体１８の表示内容と関連して、自転車を模した図形がデザインされている。
【００２５】
ここで、図４（ｂ）は光反射体１９を含めた後身頃１７の要部断面構成を示す図である。光反射体１９は、単一の反射層１９１から構成される。反射層１９１も、光反射体１７及び１８の場合と同様、樹脂製の基台層１９１ａ及び再帰性反射層１９１ｂとの貼り合わせより構成される。
【００２６】
又、図５は光反射体１９の構成を示す平面である。図５に示すように、光反射体１９は、分割線１９２によって複数のサブ反射体１９３ａ〜１９３ｇに分割された構成を有する。後身頃１７においては分割線１９２は織布４０の表面として目視される。
【００２７】
各サブ反射体毎に再帰性反射層１９１ｂの色を違えることで、光反射体１９の視認性を高めるとともに、図形としての認識し易さを向上させることができる。図示する例においては、光反射体１９は、自転車とその運転手とで色を違えるよう、サブ反射体１９３ａ〜１９３ｇの配色を定めている。
【００２８】
以上のような構成を有する本考案の実施の形態に係る安全上衣１は、以下の特徴を有する。
【００２９】
すなわち、安全上衣１の本体部である前身頃１１及び後身頃１７は一枚の織布４０を一枚仕立てにより加工してなる。織布４０はメッシュ地であり且つ裏地を有さないため、素材の厚み及び重量は日常生活で用いられる通常の衣類のそれらよりも小さく、また伸縮性並びに柔軟性にも富んでいる。これにより、安全上衣１は、着用時において利用者としての幼児、児童の動作の妨げや負担を軽減することが可能となる。
【００３０】
又、図１及び２に示すように、安全上衣１はいわゆる開きを有さない構成となっており、ボタンやスナップ等による身頃の固定を必要としない。更に、図３に示すように、前襟ぐり１３並びに後襟ぐり１４、袖ぐり１２及び裾ぐり１５の寸法は、いずれも着衣状態の利用者２の外形寸法に比して十分な余裕を持たせており、かつ、裾ぐり１５の位置が利用者２の腰の位置より高くなるよう、総丈ｄを短くしている。これらの構成により、安全上衣１は利用者２としての幼児若しくは児童が、独力又は補助者の介添えによって、より容易に着脱することが可能となる。なお、総丈ｄの短さは、図３に例示するように、利用者２のシャツ２２の裾２２ａ又はズボン２１の腰回り（ベルトが巻かれる位置）２１ａが常時露出する程度となることが望ましい。
【００３１】
又、光反射体１６及び光反射体１８は複数のアルファベット文字をかたどっており、光反射体１９は複数のサブ反射体１９３ａ〜１９３ｇから構成されているが、これら光反射体の個別の寸法はいずれも小さく押さえられている。したがって、図６に示すように、安全上衣１は個々の光反射体の実寸大から二回り程度の大きさにまで折り畳むことができる。
【００３２】
前述のように、安全上衣１の素材である織布４０はメッシュ地であり元々の厚みは小さく、さらに一枚仕立てで縫製されていることから幾重に折りたたんでも全体の厚みはさほど大きくならない。これらの特徴により、安全上衣１は、児童又はその保護者にとって携帯又は持ち運びが容易な収納性を実現している。
【００３３】
更に、光反射体１６及び光反射体１８はいずれも可読性のある有意な文字列としてデザインされているが、これは以下の効果を有する。すなわち、本考案の実施の形態にかかる安全上衣１は利用者２として幼児又は児童を主に想定しているところ、これら利用者２は成人に比して上背が低いため、自動車・バイクのドライバー等の観察者からの目線の俯角が大きくなることから視認性において不利であるが、光反射体１６及び光反射体１８は有意な文字列、つまり単語として感受されることにより、安全上衣１の利用者２の存在を、観察者の知覚において、昼夜を問わずより直接的に訴えることができる。
【００３４】
なお、本実施の形態においてはアルファベット文字による英単語としたが、ひらがな、カタカナ、漢字その他、可読性のある文字であれば任意の種類の図案を用いてもよい。特に観察者の注意を喚起するような意味のある単語としての文字列を構成することが望ましい。また各文字は、字体（ロゴ又はフォント）のデザインによって限定されるものでもない。
【００３５】
同様に、光反射体１９も、単なる幾何学模様ではなく、具象物を図案化した図柄とすることにより、観察者の注意をより強く喚起する効果を有する。このとき、光反射体１８及び１９のように、文字列と図柄とが互いに関連する意味を有するように組み合わせてデザインすることが望ましい。なお、上記の説明においては工業製品（自転車）を例としたが、人工物一般、又は自然物をモチーフとして、観察者の知覚において具象物として認識されるようなデザインであればその具体的な態様によって限定されない。
【００３６】
さらに、光反射体１６，１８及び１９は、図４（ａ）（ｂ）に示すように、いずれも発泡樹脂等からなる積層体であるとしたが、これは以下の効果を奏する。すなわち、光反射体１６、１８及び１９は織布４０より厚み及び稠密性の大きな素材であること、及び文字列又は図案を構成するよう狭間隔で配置されていることから、利用者２の着用時においても各反射体又はサブ反射体は、個別の形状及び配列が位置ずれ若しくは型崩れしにくい。したがって、図１及び２に示した文字列及び図案のレイアウトは、図３に示す使用時（利用者２による安全上衣１の着用時）においても崩れることなく、観察者から容易に視認されるものである。なお、利用者２としての児童、幼児が自転車に乗っている場合は、外部からは背中側のほうが目視されやすいことから、後身頃１７側の光反射体１８及び１９の面積をより大きくとるようにすることが望ましい。
【００３７】
なお、上記の説明においては、安全上衣１は本考案の安全上衣に相当する。又、上身頃１１及び後身頃１７を縫製した本体部分は本考案の上衣本体に相当し、光反射体１６、１８及び１９は本考案の第１の光反射領域に相当する。又、サブ反射体１９１ａ〜１９１ｇは本考案のサブ部材に相当する。
【００３８】
しかしながら、本考案は上記実施の形態の記載に限定されるものではない。
【００３９】
図７は、本考案の他の構成例を示す図である。本構成例においては、裾ぐり１５及び袖ぐり１２の表面に短冊状の光反射体３１及び光反射体３２をそれぞれ設けている。光反射体３１及び３２は反射体１９と同様、単一の反射層からなり、微少な間隙をおいて織布上に固定されているため、着用時においては裾ぐり１５及び袖ぐり１２の輪郭形状を保持する効果を有する。又、光反射体１６、１８及び１９の補助として観察者に対する安全上衣１の視認性を向上させることができる。
【００４０】
なお、光反射体３１及び３２は本考案の第２の光反射領域に相当する。ただし第２の光反射領域は裾ぐり１５又は袖ぐり１２のいずれか一方にのみ設けてもよい。又、前身頃１１側若しくは後身頃１７側のいずれか一方の側のみに設けてもよい。
【００４１】
又、短冊状ではなく一連の帯として設けてもよい。図７中には一例として右側の袖ぐり１２の表面に帯状の光反射体３２´を設けた構成を示した。
【００４２】
又、上記の説明においては、図１に示すように、肩幅ａ、身幅ｂ及び裾幅ｃの間には、ａ＜ｂ＝ｃの関係があるものとしたが、各寸法は、対象年齢、個人差等に応じて任意に定めてもよい。図８（ａ）に示す構成例は、肩幅ａ、身幅ｂ及び裾幅ｃをａ＜ｂ＜ｃとし、着脱をより容易にしたものである。
【００４３】
更に、図８（ｂ）に示すように、肩幅ａと身幅ｂとを同一長としたいわゆるノースリーブ型の形状であってもよい。又、上記の説明では前身頃１１と後身頃１７とを縫製した構成であるとしたが、縫製によらず編み上げによって構成されていてもよい。
【００４４】
要するに、本考案の安全上衣は、裏地のない一枚仕立てであって、袖なし且つ開きを有さないものであれば、その外形及び加工の具体的な方法によって限定されるものではない。織布４０としては、全面を蛍光色であるとしたが、蛍光色の他に通常の色を用いてもよい。又、前身頃１１又は後身頃１７のいずれか一方を蛍光色とし残りを通常の色としてもよい。更に、前身頃１１又は後身頃１７の一部分のみを蛍光色としてもよい。又、本考案のメッシュ地は、肉眼の観察によって認められる程度の大きさの孔が形成されているものであればよく、その網目の大きさや編み方の手法によって限定されるものではない。
【００４５】
又、上記の説明においては、本考案の第１の光反射領域及び第２の光反射領域は、別部材として織布４０に接着等により固定されるものとしたが、本考案の糸状素材としての反射糸によって織布４０に直接編み込んだパターンや、金属色又は光反射素材を含んだ塗料を用いた織布４０への塗装又は印刷として実現してもよい。すなわち、本考案の安全上衣の光反射領域は、その具体的な構成によって限定されるものではない。光反射の方式も、再帰性反射の他、鏡面反射、乱反射その他を利用したものであってもよい。
【００４６】
要するに、本考案は、その要旨を逸脱しない範囲内であれば、上記実施の形態に種々の変更を加えた形態で実施してもよい。
【産業上の利用可能性】
【００４７】
以上のような本考案によれば、幼児や児童の使用に好適であるという顕著な効果を有し、一例としては、自転車運転時や通学時に使用する上衣に好適である。
【符号の説明】
【００４８】
１  安全上衣
１ａ  腋線
１ｂ  肩線
２  利用者
１１  前身頃
１２  袖ぐり
１３  前襟ぐり
１４  後襟ぐり
１５  裾ぐり
１６、１８，１９  光反射体
１７  後身頃
２１  ズボン
２１ａ  ズボンの腰回り
２２  シャツ
２２ａ  シャツの裾
【図１】
0003164929.tif 000003
【図２】
0003164929.tif 000004
【図３】
0003164929.tif 000005
【図４】
0003164929.tif 000006
【図５】
0003164929.tif 000007
【図６】
0003164929.tif 000008
【図７】
0003164929.tif 000009
【図８】
0003164929.tif 000010